(57)【要約】【課題】有機廃棄物処理や農作物の栽培育成に効果的に使用できる処理剤及びその使用方法を提供する。【解決手段】硫酸第二鉄七水和物を約８０％重量、酸化マグネシウム約１１％重量、マンガン約０．９％重量、ほう酸約３．４％重量、酸化亜鉛約３．５％重量、酸化第二銅約０．０６％重量、三酸化モリブテン約０．３５％重量を、微粉末状にした処理剤を、１７０ｇを１単位とし、１単位当たり２０リットルの水に溶かし、非溶微粉末を浮遊状態となるように攪拌した処理液を、処理対象物１トンに対して、６０リットルと山砂０．１トンを加えて攪拌した混合物Ａを、傾斜床面１を備えて自然脱水可能とした第一処理槽に投入し、表面露出部分を山砂Ｂ０．２トンで被覆し、２週間放置した後、攪拌処理ができる第二処理槽に移し、適宜攪拌して９０日間程度の発酵処理を行って培養土とする。【選択図】    図１
2004331426.tif 000002
【特許請求の範囲】
【請求項１】
硫酸第二鉄七水和物を約８０％重量、酸化マグネシウム約１１％重量、マンガン約０．９％重量、ほう酸約３．４％重量、酸化亜鉛約３．５％重量、酸化第二銅約０．０６％重量、三酸化モリブテン約０．３５％重量を、微粉末状にして混合してなることを特徴とする有機物用処理剤。
【請求項２】
請求項１記載の粉末１７０ｇを一単位とし、一単位当たり２０リットルの水に溶かし、非溶微粉末を浮遊状態となるように攪拌した処理液を、生ゴミや食品加工残滓等の有機廃棄物１トンに対して、６０リットルと山砂０．１トンを加えて攪拌し、傾斜床面を備え、自然脱水可能とした第一処理槽に投入し、表面露出部分を山砂０．２トンで被覆し、２週間放置した後、堆積物の攪拌ができる第二処理槽に移し、適宜攪拌して９０日間程度の発酵処理を行って培養土としてなる有機物処理剤の使用方法。
【請求項３】
請求項１記載の粉末１７０ｇを一単位とし、一単位当たり２０リットルの水に溶かし、非溶微粉末を浮遊状態となるように攪拌した処理液を、畜産廃棄物、下水道処理汚泥、鶏糞などの有機質廃棄物１トンに対して、８０リットルを散布し、傾斜床面を備えて自然脱水可能とし、且つ温度維持機構を備えた第三処理槽で、適宜攪拌して９０日間程度の発酵処理で水分含有量の調整を行って肥料としてなる有機物処理剤の使用方法。
【請求項４】
請求項１記載の粉末１７０ｇを一単位とし、一単位当たり７５リットルの水に溶かし、非溶微粉末を浮遊状態となるように攪拌した処理液を、芝生や農作物に１０アール当たり３００リットルを散布して植物育成土壌活性剤として使用してなる有機物処理剤の使用方法。
【請求項５】
請求項１記載の粉末１７０ｇを一単位とし、一単位当たり４０リットルの水に溶かし、非溶微粉末を浮遊状態となるように攪拌した処理液を、畜舎周囲に散布して畜舎消臭剤として使用してなる有機物処理剤の使用方法。
【発明の詳細な説明】
【０００１】
【産業上の利用分野】
本発明は、有機物の分解を促進し、且つ植物生育土壌の活性に効果のある有機物処理剤及びその使用方法に関するものである。
【０００２】
【従来の技術】
従前より生ゴミや畜産廃棄物などを肥料化や土壌化する手段として、種々の手法が提案されている。
【０００３】
特に酸化反応を促進して、有機物の分解能を備えた鉄分を使用すると共に、肥効成分を付着させる部材を同時に使用することが提案されている（特許文献１，２）。
【０００４】
特許文献１には、生ゴミや畜産廃棄物などの被処理物とゼオライトとを混合し撹拌する第一の工程と、被処理物とゼオライトとの混合物に硫酸第一鉄を加えて混合し撹拌する第二の工程と、上記第二の工程で処理した混合物に硫酸マグネシウムを加えて混合し撹拌する第三の工程と、上記第３の工程で処理した混合物を放置する第四の工程とを経て上記ゼオライトに肥料成分を付着させて粉末状の肥料とする手法が開示されている。
【０００５】
また特許文献２には、硫酸第一鉄および硫酸マグネシウムを主成分とし、塩化第二鉄を添加した混合溶液よりなり、また、この混合溶液を乾燥させて固状化したものを用いて生ゴミの処理を行う手段が示されている。
【０００６】
【特許文献１】
特開２００１−１５８６８４号公報。
【特許文献２】
特開２０００−６１４２７号公報。
【０００７】
【発明が解決しようとする課題】
前記の従来技術は、主成分として硫酸第一鉄を採用しているが、本願発明は、硫酸第二鉄が酸素分子を活性化させることに着目し、これに肥料成分を付加することで、有機廃棄物の処理や、単体での農作物への使用が可能であり、しかも有機廃棄物などの処理結果物を農作物に使用することで、農作物の栽培に効果的である有機物用処理剤及びその使用方法を提案したものである。
【０００８】
【課題を解決する手段】
本発明に係る有機物用処理剤は、硫酸第二鉄７水和物を約８０％重量、酸化マグネシウム約１１％重量、マンガン約０．９％重量、ほう酸約３．４％重量、酸化亜鉛約３．５％重量、酸化第二銅約０．０６％重量、三酸化モリブテン約０．３５％重量を、微粉末状にして混合してなることを特徴とするものである。
【０００９】
本発明に係る前記処理剤を使用しての生ゴミなど処理方法（請求項２）は、前記処理剤粉末１７０ｇを一単位とし、一単位当たり２０リットルの水に溶かし、非溶微粉末を浮遊状態となるように攪拌した処理液（基準処理液）を、処理対象物１トンに対して、６０リットルと山砂０．１トンを加えて攪拌し、傾斜床面を備え、自然脱水可能とした第一処理槽に投入し、表面露出部分を山砂０．２トンで被覆し、２週間放置した後、攪拌処理ができる第二処理槽に移し、適宜攪拌して９０日間程度の発酵処理を行って培養土としてなるものである。
【００１０】
本発明に係る前記処理剤を使用しての畜産廃棄物、下水道処理汚泥、鶏糞などの有機質廃棄物などの処理方法（請求項３）は、有機質廃棄物１トンに対して、所定の希釈液８０リットルを散布し、傾斜床面を備えて自然脱水可能とし、且つ温度維持機構を備えた第三処理槽で、適宜攪拌して９０日間程度の発酵処理で水分含有量の調整を行って肥料としてなるものである。
【００１１】
更に本発明に係る前記処理剤の適宜濃度の希釈液は、そのまま芝生や農作物に散布して植物育成用活性剤として使用したり、畜舎に散布して畜舎消臭剤として使用するものである。
【００１２】
【実施の形態】
次に本発明の実施の形態について説明する。本発明の処理剤は、硫酸第二鉄７水和物、酸化マグネシウム、マンガン、ほう酸、酸化亜鉛、酸化第二銅、三酸化モリブテンの各粉末（非水溶性の物質は、攪拌時に水中に浮遊できる程度の微粉末としてなる）を表１のとおりの混合比率で混ぜ合わせた粉末である。この表に示した１７０ｇを一単位として、使用するものである。
【００１３】
【表１】
2004331426.tif 000003
【００１４】
前記の混合比率は各自重量に対して±５％程度の誤差は許容されるものである。
【００１５】
前記粉末の処理剤は、所定量の水に溶いて、種々の有機物処理や、農作物等への散布等に使用するもので、非水溶性成分は、攪拌して浮遊状態で使用するものである。
【００１６】
有機廃棄物処理の第一の使用手段は、有機廃棄物の培養土化処理である。処理対象は、家庭から廃棄される生ゴミ、食品加工残滓で、静置処理を行う第一工程と、攪拌処理を行う第二工程を経て処理される。
【００１７】
第一工程は、ある程度脱水し必要に応じて粉砕処理した有機廃棄物１トンに対して、山砂０．１トンを加えて攪拌すると共に、処理剤一単位当たり２０リットルの水で溶いた基準処理液６０リットルを散布攪拌し、第一処理槽に投入する。
【００１８】
第一処理槽は図１に例示するとおり、床面１を傾斜させ、適宜な側壁２を備えて表面露出部分を少なくし、且つ傾斜床面１の最下位置に排水溝３を設けてなる。この第一処理槽に前記攪拌物Ａを投入堆積し、表面露出部分を山砂Ｂ０．２トンで被覆し、２週間放置する。
【００１９】
次に第一工程終了後に、攪拌物Ａと山砂Ｂを攪拌して第二処理槽に移し、第二工程を実施する。第二処理槽は、通常の有機物発酵処理に採用される堆積槽で、前記処理対象物を９０日間程度放置し、且つその間２〜３回程度の攪拌を行って自然発酵させる。
【００２０】
前記の第二工程を終了すると、有機廃棄物は土状態となり、培養土として使用できる。特に硫酸第二鉄は、消臭効果を備えていると共に、酸化触媒能力があり、しかも脱塩作用もあり、ゆっくりとした有機物の発酵分解を行うことができる。
【００２１】
従って有用微生物の死滅が少なく、残留微量要素によって、優れた培養土を提供することができるものである。
【００２２】
食品加工残滓を処理して得た培養土の成分計量結果は表２の通りである。
【００２３】
【表２】
2004331426.tif 000004
【００２４】
有機廃棄物処理への処理剤の第二の使用手段は、有機廃棄物の肥料化処理である。処理対象は、畜産廃棄物（家畜糞や寝藁廃棄物）や農業廃棄物の単体または前記の混合物、鶏糞、鶏糞と下水道汚泥（屎尿処理汚泥）の混合物である。
【００２５】
前記の処理対象の有機廃棄物は、通常の堆肥処理を行うに際して、有機廃棄物１トンに対して、基準処理液８０リットルを散布攪拌し、第三処理槽に投入して発酵処理する。
【００２６】
第三処理槽は、傾斜床面を備えて自然脱水可能とし、且つ床面に加熱機構（電熱ヒータ）を備えてなるものである。
【００２７】
この第三処理槽に投入した有機廃棄物は、３５℃程度を維持させて、６０〜９０日（外気温や、有機物の含有水分量で相違する）の発酵処理（堆肥化）を行う。
【００２８】
鶏糞と屎尿処理汚泥を７：３で混合した処理対象物を前記第二使用手段で処理してできた肥料の計量分析結果は表３で示したとおりで、また屎尿処理汚泥１００％を処理した肥料の分析結果は表４の通りである。但し表４は、水分含有量の調整を行っていないので水分が多い。
【００２９】
【表３】
2004331426.tif 000005
【００３０】
【表４】
2004331426.tif 000006
【００３１】
前記処理剤の第三の使用方法は、希釈して散布するもので、希釈液（第一希釈液）は、処理剤一単位当たり７５リットルの水に溶かし、散布時には良く攪拌し、非溶微粉末が液中に浮遊する状態で散布する。
【００３２】
第一希釈液は、農作物の栽培やゴルフ場の芝生の育成に供するもので、１０アール当たり３００リットルを散布する。
【００３３】
また、処理剤一単位当たり５０リットルの水に溶かした第二希釈液は、土壌改良や砂丘地改良に使用するもので、１０アール当たり３００リットルを散布する。
【００３４】
更に処理剤一単位当たり４０リットルの水に溶かした第三希釈液は、畜舎の周囲に一日二回程度散布して、畜舎消臭剤として使用する。
【００３５】
従って前記の処理剤希釈液の散布によって、処理剤成分による土壌の活性化による植物育成や土壌改良が実現し、また鉄分による酸化還元作用の促進によって消臭効果を得ることができるものである。
【００３６】
【発明の効果】
以上のように本発明は、硫酸第二鉄７水和物を主成分とし、酸化マグネシウムを添加し、更に微量成分としてほう酸、酸化亜鉛、酸化第二銅、三酸化モリブテンを加えて微粉末状にして混合してなる処理剤で、前記処理剤を水に解かして有機廃棄物の培養土化処理並びに肥料化処理を行ったり、また希釈して植物育成剤としたり、土壌改良剤、或いは畜舎消臭剤として散布して使用するもので、安全で且つ効果的な有機物所在を提供できたものである。
【図面の簡単な説明】
【図１】本発明の第一処理槽の説明図。
【符号の説明】
１      床面
２      側壁
３      排水溝
【図１】
2004331426.tif 000007